(57)【要約】【課題】ストリーマ放電装置（40）の小型化を可能にするとともに、低コストで高性能を得られるようにする。【解決手段】針状に形成した放電電極（41）の先端（41a）が対向電極（42）を指向するように配置し、ストリーマ放電場（40a）に外部から水を供給する水供給部材を設ける。【選択図】図１
2009045341.tif 000002
【特許請求の範囲】
【請求項１】
放電電極（41）と、該放電電極（41）に対向する対向電極（42）と、両電極（41，42）間に放電電圧を印加する電源（43）と、両電極（41，42）間に形成されるストリーマ放電場（40a）に水を供給する水供給機構（30）とを備え、空気通路（11）中にストリーマ放電場（40a）を発生させるストリーマ放電装置であって、
放電電極（41）が針状に形成されてその先端（41a）が対向電極（42）を指向するように配置され、
上記水供給機構（30）がストリーマ放電場（40a）に外部から水を供給する水供給部材（31）を備えていることを特徴とするストリーマ放電装置。
【請求項２】
放電電極（41）と、該放電電極（41）に対向する対向電極（42）と、両電極（41，42）間に放電電圧を印加する電源（43）と、両電極（41，42）間に形成されるストリーマ放電場（40a）に水を供給する水供給機構（30）とを備え、空気通路（11）中にストリーマ放電場（40a）を発生させるストリーマ放電装置であって、
放電電極（41）が針状に形成されてその先端（41a）が対向電極（42）を指向するように配置され、
上記水供給機構（30）が上記放電電極（41）に外部から水を供給する水供給部材（31）を備えていることを特徴とするストリーマ放電装置。
【請求項３】
請求項１または２において、
上記水供給機構（30）の水供給部材（31）は、水を水滴状にして吹き出す部材により構成されていることを特徴とするストリーマ放電装置。
【請求項４】
請求項３において、
上記水供給部材（31）は、吹き出す水の粒径が１０μｍ以上で１００μｍ以下になるように構成されていることを特徴とするストリーマ放電装置。
【請求項５】
請求項１から４の何れか１つにおいて、
上記放電電極（41）の先端（41a）に対して鉛直方向の上方に対向電極（42）が配置されていることを特徴とするストリーマ放電装置。
【請求項６】
請求項１から５の何れか１つにおいて、
上記ストリーマ放電場（40a）に対して空気の流れ方向下流側に水捕捉機構（60）を備えていることを特徴とするストリーマ放電装置。
【請求項７】
請求項６において、
上記水捕捉機構（60）が、水滴の通過を阻止する一方で空気の流通を許容する多数の空気流通孔を備えた水捕捉部材（61）により構成されていることを特徴とするストリーマ放電装置。
【請求項８】
ケーシング（10）と、該ケーシング（10）内に形成された空気通路（11）中に配置されるストリーマ放電部（40）とを備えた空気処理装置であって、
上記ストリーマ放電部（40）が請求項１から７の何れか１つに記載のストリーマ放電装置により構成され、
上記水供給機構（30）に対して空気通路（11）の下流側に上記ストリーマ放電部（40）が配置されていることを特徴とする空気処理装置。
【発明の詳細な説明】
【技術分野】
【０００１】
本発明は、放電場に水を供給する構成のストリーマ放電装置と、このストリーマ放電装置を利用した空気処理装置に関するものである。
【背景技術】
【０００２】
従来より、ストリーマ放電装置において、放電場に水を供給して脱臭や殺菌などの清浄機能を高めるようにしたものがある（例えば、特許文献１，２参照）。
【０００３】
特許文献１の装置では、線状の放電電極を鉛直方向沿い（縦向き）に配置するとともに、この放電電極を中心として、網製で円筒状の対向電極を配置している。そして、放電電極と対向電極にパルス高電圧を印加して、両電極間でストリーマ放電が発生するようにしている。また、この放電装置の上方にはノズルが配置されており、浄化対象の液体をこのノズルからシャワー状または霧状にして吹き出し、ストリーマ放電場に供給するようにしている。こうすることにより、ストリーマ放電により発生する活性種の作用で、浄化対象の液体に含まれる有害物質や微生物を処理するようにしている。
【０００４】
また、特許文献２の装置では、多孔質で針状の放電電極の基端（下端）を液体に浸すとともに、放電電極の上方に対向電極を配置している。この構成では、針状の放電電極と対向電極の間でストリーマ放電を起こしながら、毛細管現象で放電電極の先端まで上昇する水をストリーマ放電とともに対向電極に向かって飛ばすようにしている。水の微粒子がストリーマ放電場に存在すると、水から生成される活性種（ラジカルやイオン）が空気などの浄化対象を浄化する。
【特許文献１】特開２００５−１３７４７０号公報
【特許文献２】特開２００５−１６８５３３号公報
【発明の開示】
【発明が解決しようとする課題】
【０００５】
しかし、特許文献１のストリーマ放電装置では、線状の放電電極からストリーマ放電を発生させる構成を採用しているため、ストリーマ放電の放電エネルギーを十分に大きくすることができず、十分な量の活性種を得るためには装置を大型化する必要があった。さらに、この装置でストリーマ放電を発生させようとすると安価な直流電源は使えず、高価なパルス電源が必要になる問題もあった。
【０００６】
また、特許文献２のストリーマ放電装置では、多孔質で針状の放電電極が水を吸い上げるため、ストリーマ放電場への水の供給量が極端に少なくなってしまい、水とストリーマ放電の相乗効果を十分に発揮することができない問題があった。さらに、針状電極の材料が特殊な材料であるため、材料費が高価であるし、水質によっては放電電極の孔が詰まって水が放電電極の先端まで供給されずに水とストリーマ放電の相乗効果が全く得られなくなるおそれもあった。
【０００７】
このように、従来のストリーマ放電装置では、装置の大型化を防止しつつ、低コストで高性能を実現することは困難であった。本発明は、かかる点に鑑みてなされたものであり、その目的は、ストリーマ放電装置の小型化を可能にするとともに、低コストで高性能を得られるようにすることである。
【課題を解決するための手段】
【０００８】
第１の発明は、放電電極（41）と、該放電電極（41）に対向する対向電極（42）と、両電極（41，42）間に放電電圧を印加する電源（43）と、両電極（41，42）間に形成されるストリーマ放電場（40a）に水を供給する水供給機構（30）とを備え、空気通路（11）中にストリーマ放電場（40a）を発生させるストリーマ放電装置を前提としている。
【０００９】
そして、このストリーマ放電装置は、放電電極（41）が針状に形成されてその先端（41a）が対向電極（42）を指向するように配置され、上記水供給機構（30）がストリーマ放電場（40a）に外部から水を供給する水供給部材（31）を備えていることを特徴としている。
【００１０】
この第１の発明では、ストリーマ放電は放電電極（41）の先端（41a）から対向電極（42）に向かって発生する。そして、そのストリーマ放電場（40a）に外部から水が供給される。ストリーマ放電場（40a）では種々の活性種が発生するが、単に空気中で放電するよりも、水を供給するとストリーマ放電が水にも作用して、より多くの活性種が発生する。これらの活性種により、空気通路（11）を流れる空気に含まれる臭気成分や有害成分を分解することができる。
【００１１】
第２の発明は、放電電極（41）と、該放電電極（41）に対向する対向電極（42）と、両電極（41，42）間に放電電圧を印加する電源（43）と、両電極（41，42）間に形成されるストリーマ放電場（40a）に水を供給する水供給機構（30）とを備え、空気通路（11）中にストリーマ放電場（40a）を発生させるストリーマ放電装置を前提としている。
【００１２】
そして、このストリーマ放電装置は、放電電極（41）が針状に形成されてその先端（41a）が対向電極（42）を指向するように配置され、上記水供給機構（30）が上記放電電極（41）に外部から水を供給する水供給部材（31）を備えていることを特徴としている。
【００１３】
この第２の発明では、ストリーマ放電は放電電極（41）の先端（41a）から対向電極（42）に向かって発生する。そして、その放電電極（41）に外部から水が供給される。放電電極（41）に供給された水は放電のイオン風と電気的な力によって放電電極（41）の先端（41a）から引っ張られて対向電極（42）へ向かっていく。ストリーマ放電場（40a）では種々の活性種が発生するが、単に空気中で放電するよりも、水を供給するとストリーマ放電が水にも作用して、より多くの活性種が発生する。これらの活性種により、空気通路（11）を流れる空気に含まれる臭気成分や有害成分を分解することができる。
【００１４】
第３の発明は、第１または第２の発明において、上記水供給機構（30）の水供給部材（31）が、水を水滴状にして吹き出す部材により構成されていることを特徴としている。
【００１５】
この第３の発明では、放電場（40a）及び放電電極（41）に対して外部から水を供給する水供給機構（30）が、水を水滴状にして吹き出すため、水滴に対するストリーマ放電の作用で活性種が発生しやすくなる。
【００１６】
第４の発明は、第３の発明において、上記水供給部材（31）が、吹き出す水の粒径が１０μｍ以上で１００μｍ以下になるように構成されていることを特徴としている。
【００１７】
この第４の発明では、水滴の粒径を特定したことにより、水滴が小さすぎると水滴を回収しにくいのに対して回収しやすくなり、水滴が大きすぎると水滴の拡散性が下がるのに対して拡散性がよくなる。
【００１８】
第５の発明は、第１から第４の発明の何れか１つにおいて、上記放電電極（41）の先端（41a）に対して鉛直方向の上方に対向電極（42）が配置されていることを特徴としている。
【００１９】
放電電極（41）の先端（41a）に対して下方に対向電極（42）が位置していると、放電電極（41）の先端（41a）に大粒の水滴が付着することにより見かけ上の電極（41，42）間距離が短くなって異常放電（スパーク）が発生するおそれがあるが、この第５の発明では、電極（41，42）間距離を維持できるからスパークは発生しない。
【００２０】
第６の発明は、第１から第５の発明の何れか１つにおいて、上記ストリーマ放電場（40a）に対して空気の流れ方向下流側に水捕捉機構（60）を備えていることを特徴としている。
【００２１】
この第６の発明では、ストリーマ放電装置において処理に使われた後の水や使われなかった水が水捕捉機構（60）において捕捉される。
【００２２】
第７の発明は、第６の発明において、上記水捕捉機構（60）が、水滴の通過を阻止する一方で空気の流通を許容する多数の空気流通孔を備えた水捕捉部材（61）により構成されていることを特徴としている。
【００２３】
この第７の発明では、ストリーマ放電装置において処理に使われた後の水や使われなかった水を水捕捉部材（61）により捕捉することができる。
【００２４】
第８の発明は、ケーシング（10）と、該ケーシング（10）内に形成された空気通路（11）中に配置されるストリーマ放電部（40）とを備えた空気処理装置を前提としている。
【００２５】
そして、この空気処理装置は、上記ストリーマ放電部（40）が第１から第７の何れか１つの発明のストリーマ放電装置により構成され、上記水供給機構（30）に対して空気通路（11）の下流側に上記ストリーマ放電部（40）が配置されていることを特徴としている。
【００２６】
この第８の発明では、空気通路（11）の上流側で水供給機構（30）により空気中に水が供給され、その領域に対して第１から第７の発明のストリーマ放電装置でストリーマ放電が発生する。このことにより、ストリーマ放電が空気だけでなく水にも作用して、多くの活性種が発生する。そして、これらの活性種により、空気通路（11）を流れる空気に含まれる臭気成分や有害成分が分解される。
【発明の効果】
【００２７】
第１，第２の発明によれば、針状の放電電極（41）から対向電極（42）に向かってストリーマ放電が発生する。ストリーマ放電は、線状の放電電極（41）の全体から対向電極（42）に対して発生させる場合よりも、針状の放電電極（41）の先端（41a）から対向電極（42）に向かって発生させる方が、放電のエネルギーが大きくなる。したがって、従来とは違って十分な量の活性種を得るために装置を大型化する必要がなく、しかもこの装置では直流の高圧電源（43）でストリーマ放電を発生させることができるから、高価なパルス電源（43）が不要でコストを抑えられる。
【００２８】
また、多孔質で針状の放電電極を用いると、ストリーマ放電場（40a）への水の供給量が極端に少なくなってしまい、水とストリーマ放電の相乗効果を十分に発揮することができないうえ、針状電極の材料が特殊な材料であるため、材料費が高価であるし、水質によっては放電電極の孔が詰まって水が放電電極の先端まで供給されずに水とストリーマ放電の相乗効果が全く得られなくなるおそれがあったのに対して、本発明によれば、外部から水を供給するから放電電極（41）に特殊な材料を使う必要はなく、しかも十分な量の水を供給できるから水とストリーマ放電の相乗効果を高められる。
【００２９】
以上のように、本発明によれば、ストリーマ放電装置の小型化を可能にするとともに、低コストで高性能を実現することができる。
【００３０】
また、上記第２の発明によれば、さらに、針状の放電電極（41）が水で覆われるために劣化しにくくなり、放電電極（41）を長期間交換しなくてもストリーマ放電を良好な状態に維持できる効果を得ることができる。
【００３１】
上記第３の発明によれば、放電場（40a）及び放電電極（41）に対して外部から水を供給する水供給機構（30）が、水を水滴状にして吹き出すため、水滴に対するストリーマ放電の作用で活性種が発生しやすくなり、水とストリーマ放電の相乗効果をより高めることが可能になる。また、水を水滴にして吹き出すことにより、水の拡散性がよくなるので、放電部と水供給機構（30）の位置関係を厳密に設定しなくてもよく、設計の自由度が高くなる。また、水滴を噴霧することにより、集塵作用を得ることも可能となる。
【００３２】
上記第４の発明によれば、水供給部材（31）が吹き出す水の粒径を１０μｍ以上で１００μｍ以下に特定したことにより、水滴が小さすぎると水滴を回収しにくいのに対して回収しやすくなり、しかも水滴が大きすぎると水滴の拡散性が下がるのに対して拡散性がよくなって性能が向上する。
【００３３】
上記第５の発明によれば、放電電極（41）の上方に対向電極（42）を配置しているから、放電電極（41）と対向電極（42）の上下の位置関係が逆の場合には放電電極（41）の先端（41a）に付着した水滴により見かけの電極（41，42）間距離が短くなってスパークが発生するおそれがあるのに対して、スパークの発生を防止できる。したがって、ストリーマ放電を安定して発生させることができる。
【００３４】
上記第６の発明によれば、ストリーマ放電装置において処理に使われた後の水や使われなかった水が水捕捉機構（60）において捕捉されるから、水が装置から外に流出するのを防止できる。したがって、ストリーマ放電装置を使用する場所に関して制限をなくすことができる。
【００３５】
上記第７の発明によれば、ストリーマ放電装置において処理に使われた後の水や使われなかった水を水捕捉部材（61）により捕捉することができ、水捕捉部材（61）が水滴を捕捉するが空気は通すため、圧力損失を小さくして低騒音化を図ることができる。
【００３６】
上記第８の発明によれば、空気処理装置の空気通路（11）中に水を供給しながらストリーマ放電を発生させることにより、低コストで高性能な空気処理装置を実現することができる。
【発明を実施するための最良の形態】
【００３７】
以下、本発明の実施形態を図面に基づいて詳細に説明する。
【００３８】
《発明の実施形態１》
本発明の実施形態１について説明する。
【００３９】
この実施形態１は、本発明に係るストリーマ放電装置を適用した空気処理装置に関するものである。
【００４０】
図１は、この空気処理装置（1）の構成図である。空気処理装置（1）は、ケーシング（10）と、このケーシング（10）内に形成されている空気通路（11）中に配置された機能部品類を備えている。ケーシング（10）には、空気通路（11）に対する被処理空気の入口側に空気吸込口（12）が形成され、空気通路（11）に対する被処理空気の出口側に空気吹出口（13）が形成されている。
【００４１】
ケーシング（10）内には、空気通路（11）の上流側から下流側へ向かって、プレフィルタ（20）、水供給部（水供給機構）（30）、ストリーマ放電部（ストリーマ放電装置）（40）、処理空間（50）、水捕捉機構（60）、そしてファン（70）が順に配置されている。このように、空気通路（11）における水供給部（30）の下流側にストリーマ放電部（40）が配置され、空気通路（11）中で水が供給される領域にストリーマ放電場（40a）が形成されるようになっている。つまり、水供給部（30）は、ストリーマ放電場（40a）に外部から水を供給するように構成されている。さらに、上記水捕捉機構（60）は、このストリーマ放電場（40a）に対して空気の流れ方向下流側に配置されている。
【００４２】
プレフィルタ（20）は、空気中に含まれる比較的大きな塵埃を除去して、塵埃が空気処理装置（1）のケーシング（10）内に進入するのを防止するためのものである。
【００４３】
水供給部（30）は、水を水滴状にして噴き出す水供給部材としてノズル（31）を備えている。このノズル（31）は、吹き出す水の粒径が１０μｍ以上で１００μｍ以下になるように、噴霧口（図示せず）の寸法や形状が定められている。このノズル（31）は、水供給管（32）を介してポンプ（33）と接続されている。ポンプ（33）は、後述する水捕捉機構（60）の水回収タンク（62）に水配管（34）を介して接続されている。
【００４４】
ストリーマ放電部（40）は、放電電極（41）と、該放電電極（41）に対向する対向電極（42）と、両電極（41，42）間に放電電圧を印加する電源（43）とを備えている。放電電極（41）と対向電極（42）は、詳細は図示していないがケーシング（10）側に固定された部材に保持されている。また、図では放電電極（41）と対向電極（42）を一対だけ示しているが、実際の装置では複数対の電極（41，42）が設けられる。上記電源（43）は直流の高圧電源（43）であり、放電電極（41）に電源（43）のプラス極が接続され、対向電極（42）に電源（43）のマイナス極が接続されている。また、マイナス極はケーシング（10）を介して接地されている。
【００４５】
放電電極（41）は針状に形成されている。この放電電極（41）の先端（41a）は、板状の対向電極（42）を指向するように配置されている。具体的には、放電電極（41）の先端（41a）が鉛直上方を向くように配置され、その上方に対向電極（42）が配置されている。ストリーマ放電は、両電極（41，42）間に電圧を印加して電子なだれが発生するのに伴って形成される微小アークが放電電極（41）から対向電極（42）に向かって進展することで起こる電気的な現象であり、図ではストリーマ放電場（40a）が放電電極（41）から対向電極（42）に向かってフレア状に拡がる領域に形成されている。
【００４６】
処理空間（50）は、ケーシング（10）の内で一定の大きさを持った空間であり、空気通路（11）の一部を構成している。ストリーマ放電部（40）に上流側から水滴（Ｗ）が供給されることにより大量の活性種が発生する。そして、この活性種が処理空間（50）において被処理空気中の臭気成分や有害成分を分解するとともに、水滴（Ｗ）が活性種に変化せずに水滴（Ｗ）のままで存在するものと塵埃（プレフィルタ（20）で除去できなかった比較的小さな塵埃）とが接触して塵埃が水滴（Ｗ）に吸着され、下流側へ流れていく。ここで、ストリーマ放電部（40）を通過した水滴（Ｗ）は帯電しているので、塵埃を電気的な力で吸着する。
【００４７】
水捕捉機構（60）は、デミスタ（61）と水回収タンク（62）とを備えている。デミスタ（61）は、水滴（Ｗ）の通過を阻止する一方で空気の流通を許容する多数の空気流通孔を備えた水捕捉部材（61）であって、具体的には、細い金属繊維を凝集加工して所定の厚みを持つ多孔状に成形したものが用いられている。
【００４８】
ケーシング（10）の空気通路（11）内で最も下流側に配置されているファン（70）には、例えばシロッコファン（70）などの遠心ファンが用いられている（図は空気の流れ方向を模式的に示している）。このファン（70）を起動することにより、空気吸込口（12）からケーシング（10）内に吸い込まれた被処理空気が処理され、処理後に空気吹出口（13）から室内へ供給される。
【００４９】
−運転動作−
次に、この空気処理装置（1）の運転動作について説明する。
【００５０】
ファン（70）を起動すると、被処理空気が空気吸込口（12）からケーシング（10）内に吸い込まれる。ケーシング（10）内に吸い込まれた被処理空気はプレフィルタ（20）を通過し、その際に被処理空気中の比較的大きな塵埃が除去される。水供給部（30）では、ポンプ（33）から水供給管（32）を介して供給されてきた水が、空気通路（11）における空気の流れ方向下流側に向かって噴霧される。
【００５１】
この噴霧方向にはストリーマ放電部（40）が存在しており、放電電極（41）と対向電極（42）との間でストリーマ放電場（40a）が形成されている。ストリーマ放電部（40）では、空気や水に対するストリーマ放電の作用により、種々の活性種が生成される。この活性種には、高速電子、イオン、ヒドロキシラジカルなどのラジカルや、その他励起分子（励起酸素分子、励起窒素分子、励起水分子など）が含まれている。ここで発生した活性種は処理空間（50）へ流れて行き、被処理空気に含まれる有害成分や臭気成分が分解される。また、ストリーマ放電場（40a）で水滴（Ｗ）のすべてが活性種に変化するわけではなく、水滴（Ｗ）の状態のまま処理空間（50）に流れてくるものもある。この水滴（Ｗ）はストリーマ放電場（40a）を通過することで電荷を帯びている。したがって、プレフィルタ（20）で除去できなかった比較的小さな塵埃を電気的な力で吸着する。
【００５２】
塵埃を付着した水滴（Ｗ）はデミスタ（61）を通過する際にデミスタ（61）で捕捉される。このとき、水滴（Ｗ）とともに塵埃もデミスタ（61）に捕捉される。デミスタ（61）に付着した水滴（Ｗ）は水の集合体となって大きくなり、デミスタ（61）の金網に沿って下方へ流れ、そのときに、デミスタ（61）に付着している塵埃も流し落とす。デミスタ（61）から滴下した水滴（Ｗ）と塵埃は水回収タンク（62）に回収される。図示していないが、水回収タンク（62）には水と塵埃とを分離する機構が設けられており、水だけが水配管（34）を介してポンプ（33）に吸引される。ポンプ（33）に吸引された水はノズル（31）からの噴霧に再利用される。
【００５３】
デミスタ（61）を通過した被処理空気は、臭気成分や有害成分がストリーマ放電場（40a）で発生した活性種で分解されるとともに、デミスタ（61）で塵埃が除去された清浄な空気である。そして、このようにして清浄な状態に処理された空気がファン（70）を通じてケーシング（10）の空気吹出口（13）から室内へ吹き出される。
【００５４】
−実施形態１の効果−
ストリーマ放電では、従来技術（特許文献１）で説明したような線状の放電電極の全体から対向電極に対して発生させる場合よりも、本実施形態のように針状の放電電極（41）の先端（41a）から対向電極（42）に向かって発生させる方が、放電のエネルギーが大きくなる。したがって、従来とは違って十分な量の活性種を得るために装置を大型化する必要がなく、小型であっても十分な性能を得ることができる。しかもこの装置では、針状の放電電極（41）を用いることにより直流の高圧電源（43）でストリーマ放電を発生させることを可能にしているから、高価なパルス電源（43）が不要でコストを抑えられる利点もある。
【００５５】
また、従来技術（特許文献２）で説明したような多孔質で針状の放電電極を用いると、ストリーマ放電場（40a）への水の供給量が極端に少なくなってしまい、水とストリーマ放電の相乗効果を十分に発揮することができないうえ、針状電極の材料が特殊な材料であるため、材料費が高価であるし、水質によっては放電電極の孔が詰まって水が放電電極の先端まで供給されずに水とストリーマ放電の相乗効果が全く得られなくなるおそれがあったのに対して、本実施形態によれば、外部から水を供給するようにしているから、放電電極（41）に特殊な材料を使う必要はなく、しかも十分な量の水を供給できるから水とストリーマ放電の相乗効果による性能向上を図ることができる。
【００５６】
また、この実施形態では、ストリーマ放電場（40a）に対して外部から水を供給する水供給部（30）が、水を水滴状にして吹き出す構造を採用しているため、水滴（Ｗ）に対するストリーマ放電の作用で活性種が発生しやすくなり、水とストリーマ放電の相乗効果をより高めることが可能になる。さらに、水を水滴（Ｗ）にして吹き出すことにより、水の拡散性がよくなるので、放電部と水供給部（30）の位置関係を厳密に設定しなくてもよく、設計の自由度が高くなる。そのうえ、水滴（Ｗ）を噴霧することにより、集塵作用を得ることも可能となる。
【００５７】
また、ノズル（31）が吹き出す水の粒径を１０μｍ以上で１００μｍ以下に特定したことにより、水滴（Ｗ）が小さすぎると水滴（Ｗ）をデミスタ（61）で回収しにくいのに対して回収しやすくなり、しかも水滴（Ｗ）が大きすぎると水滴（Ｗ）の拡散性が下がるのに対して拡散性がよくなって性能が向上する。また、図２のグラフに示すように、水滴（Ｗ）の径が１０μｍを越えると高い集塵効率を得ることができ、２０μｍ以上であれば、水滴（Ｗ）の径が大きくなりすぎない限りはほぼ１００％の集塵効率が得られる。なお、このグラフの実験データは、面風速が０．５m/s、デミスタ（61）の繊維径が２５０ミクロンで充填率が２．５％としている。
【００５８】
さらに、この実施形態では、放電電極（41）の上方に対向電極（42）を配置している。放電電極（41）と対向電極（42）の上下の位置関係が本実施形態と逆の場合には放電電極（41）の先端（41a）に付着した大粒の水滴（Ｗ）により見かけの電極（41，42）間距離が短くなってスパークが発生するおそれがあるのに対して、スパークの発生を防止できる。したがって、ストリーマ放電を安定して発生させることができる。
【００５９】
また、この実施形態では、ストリーマ放電部（40）において処理に使われた後の水や使われなかった水を水捕捉機構（60）において捕捉されるようにしているから、水が装置から外に流出するのを防止できる。したがって、ストリーマ放電装置（40）を使用する場所に関して制限をなくすことができる。
【００６０】
さらに、ストリーマ放電部（40）において処理に使われた後の水や使われなかった水をデミスタ（61）により捕捉することができ、このデミスタ（61）が水滴（Ｗ）を捕捉するが空気は通すため、圧力損失を小さくして低騒音化を図ることができる。
【００６１】
以上のように、本実施形態によれば、針状の放電電極（41）を用いたストリーマ放電部（40）に対して外部から水滴（Ｗ）を供給するようにしたことによって、性能の向上やコストダウンなど、種々の効果を得ることができる。なお、この空気処理装置（1）は、例えば厨房排気に含まれるオイルミストを処理するために用いることもできる。
【００６２】
−実施形態１の変形例−
図１の空気処理装置（1）において、放電部は図３（Ａ）や図３（Ｂ）に示すように構成してもよい。これらの例は、対向電極（42）と平行に針状の放電電極（41）を配置した例である。この場合、放電電極（41）の中央部を保持する保持部材（44）を設け、この保持部材（44）をケーシング（10）側の固定部材（45）に固定することができる。こうすると、放電電極（41）の両端から対向電極（42）に向かってストリーマ放電が発生する。
【００６３】
図３（Ａ）の例は、図１と同様に矢印で示す放電方向が空気の流れ方向と直交するようにストリーマ放電部（40）を配置した例であり、図３（Ｂ）の例は、放電方向が空気の流れ方向と同じ方向になるようにストリーマ放電部（40）を配置した例である。図３（Ｂ）の例では、対向電極（42）をメッシュ状にするなどして通気性を持たせる必要がある。
【００６４】
これらの変形例のように構成しても、図１の実施形態と同様の効果を奏することができる。
【００６５】
《発明の実施形態２》
本発明の実施形態２は、図４に示すように、水供給部（30）とストリーマ放電部（40）の位置関係を実施形態１とは異なるようにした例である。
【００６６】
具体的には、水供給部（30）のノズル（31）が、ストリーマ放電場（40a）に水を供給するのではなくて、放電電極（41）に水を供給するように配置されている。
【００６７】
その他の構成は実施形態１と同じである。
【００６８】
このように構成すると、図５に詳細に示すように、ストリーマ放電が放電電極（41）の先端（41a）から対向電極（42）に向かって発生している状態で、その放電電極（41）にノズル（31）から水滴（Ｗ）が供給される。放電電極（41）に供給された水滴（Ｗ）は放電のイオン風と電気的な力によって放電電極（41）の先端（41a）から引っ張られて対向電極（42）へ向かっていく。したがって、ストリーマ放電は空気だけでなく水滴（Ｗ）に対しても作用する。そのため、実施形態１と同様に多量の活性種が発生する。
【００６９】
以上のように、この実施形態２においても実施形態１と同様にストリーマ放電と水が効率よく相互作用するから、装置の小型化や高性能化など、実施形態１と同様の効果を奏することができる。
【００７０】
また、この実施形態２によれば、針状の放電電極（41）が水で覆われるために劣化しにくくなり、放電電極（41）を長期間交換しなくてもストリーマ放電を良好な状態に維持できる効果もある。
【００７１】
《その他の実施形態》
上記実施形態については、以下のような構成としてもよい。
【００７２】
例えば、上記実施形態では水供給部（30）にノズル（31）を設けて水を噴霧するようにしているが、水供給部（30）には超音波式やヒーター式の蒸気発生器を用いてもよい。
【００７３】
また、ストリーマ放電部（40）や水捕捉機構（60）やファン（70）などの具体的な構成は、装置構成に応じて適宜変更してもよい。
【００７４】
さらに、本発明のストリーマ放電装置（40）は、空気処理装置（1）以外で被処理対象の浄化を必要とする装置などに適用してもよい。
【００７５】
要するに、以上の実施形態は、本質的に好ましい例示であって、本発明、その適用物、あるいはその用途の範囲を制限することを意図するものではない。
【産業上の利用可能性】
【００７６】
以上説明したように、本発明は、放電場に水を供給する構成のストリーマ放電装置と、このストリーマ放電装置を利用した空気処理装置について有用である。
【図面の簡単な説明】
【００７７】
【図１】図１は、本発明の実施形態１に係る空気処理装置の構成図である。
【図２】図２は、水滴径に対する集塵効率の変化を示すグラフである。
【図３】図３（Ａ），（Ｂ）は、放電部の変形例を示す図である。
【図４】図４は、本発明の実施形態２に係る空気処理装置の構成図である。
【図５】図５は、放電部における水滴の動きを示す説明図である。
【符号の説明】
【００７８】
1   空気処理装置
10  ケーシング
11  空気通路
30  水供給機構
31  水供給部材
40  ストリーマ放電部（ストリーマ放電装置）
40a ストリーマ放電場
41  放電電極
42  対向電極
43  電源
60  水捕捉機構
61  水捕捉部材
【図１】
2009045341.tif 000003
【図２】
2009045341.tif 000004
【図３】
2009045341.tif 000005
【図４】
2009045341.tif 000006
【図５】
2009045341.tif 000007